(57)【特許請求の範囲】
【請求項１】
ボウル部が形成された便器本体と、
縦面に固定可能な支持フレームとを具備し、
前記便器本体は、
前記ボウル部の上端部に設けられた支持体収納部を備え、
前記支持フレームは、
前記支持体収納部に収納され、前記支持体収納部を支持する支持体を備え、
前記支持体収納部に、下方に開口し前記支持体を前記支持体収納部の下方から前記支持体収納部に挿入するための挿入用開口が形成されたことを特徴とする便器。
【請求項２】
前記支持体収納部は、
前記ボウル部の上端部から上方に向かって延びた内周部と、
前記内周部の上端部から外側方に向かって延びた横面部と、
前記横面部の外側端部から下方に向かって延びて前記内周部に対向する外周部とを有し、
前記支持体は前記横面部を下方から支持することを特徴とする請求項１に記載の便器。
【請求項３】
便器の製造方法であって、
前記便器は、
ボウル部が形成された便器本体と、
縦面に固定可能な支持フレームとを具備し、
前記便器本体は、
前記ボウル部の上端部に設けられた支持体収納部を備え、
前記支持フレームは、
前記支持体収納部に収納され、前記支持体収納部を支持する支持体を備え、
前記支持体収納部に、下方に開口した挿入用開口が形成され、
前記支持体を前記挿入用開口から前記支持体収納部に挿入することを特徴とする便器の製造方法。
【発明の詳細な説明】
【技術分野】
【０００１】
本発明は、便器および便器の製造方法に関する。
【背景技術】
【０００２】
特許文献１には、壁掛け便器の設置構造が開示されている。この設置構造では、壁面に固定されたブラケットに便器が固定されている。
【先行技術文献】
【特許文献】
【０００３】
【特許文献１】特開平１０−２７３９２７号公報
【発明の概要】
【発明が解決しようとする課題】
【０００４】
ところで、前記ブラケットは前記便器を支持する部分が露出するため、見栄えが良くない。また、特許文献１の便器の設置構造では、見栄えを良くするために、前記ブラケットが前記便器に支持されたアンダーカバーによって覆われているが、便器を施工した後に、アンダーカバーを施工する必要がある。
【０００５】
本発明は前記事情に鑑みてなされたものであって、支持フレームにおいて便器を支持する部分が外観上見え難く、施工性の良い便器、および便器の製造方法を提供することを目的とする。
【課題を解決するための手段】
【０００６】
前記目的を達成するために本発明の便器は、ボウル部が形成された便器本体と、縦面に固定可能な支持フレームとを具備する。前記便器本体は、前記ボウル部の上端部に設けられた支持体収納部を備える。前記支持フレームは、前記支持体収納部に収納され、前記支持体収納部を支持する支持体を備える。前記支持体収納部に、下方に開口し前記支持体を前記支持体収納部の下方から前記支持体収納部に挿入するための挿入用開口が形成される。
【０００７】
また、本発明の便器の製造方法は、前記便器は、ボウル部が形成された便器本体と、縦面に固定可能な支持フレームとを具備する。前記便器本体は、前記ボウル部の上端部に設けられた支持体収納部を備える。前記支持フレームは、前記支持体収納部に収納され、前記支持体収納部を支持する支持体を備える。前記支持体収納部に、下方に開口した挿入用開口が形成される。前記支持体を前記挿入用開口から前記支持体収納部に挿入する。
【発明の効果】
【０００８】
本発明に係る便器は、支持フレームにおいて便器を支持する部分が外観上見え難い。また、本発明に係る便器の製造方法は、支持フレームにおいて便器を支持する部分が外観上見え難い便器を製造できる。
【図面の簡単な説明】
【０００９】
【図１】図１は、本発明の一実施形態に係る便器を設置した状態を示した斜視図である。
【図２】図２は、同上の便器の支持フレームの斜視図である。
【図３】図３は、同上の便器を設置した状態を示した水平断面図である。
【図４】図４は、同上の便器を設置した状態を示し、鉛直面に沿った断面図である。
【図５】図５は、図４のＡ部拡大図である。
【図６】図６は、同上の便器の下側から見た斜視図である。なお、図６では、便器後部、便座、便蓋などの図示を省略している。
【図７】図７は、図４のＢ−Ｂ線断面図である。
【図８】図８Ａは、変形例１に係る便器において図５に対応する部分の断面図である。図８Ｂは、変形例２に係る便器において図５に対応する部分の断面図である。
【図９】図９は、変形例３に係る便器の支持フレームの斜視図である。
【発明を実施するための形態】
【００１０】
以下に示す実施形態は、便器および便器の製造方法に関し、詳しくは、壁面等の縦面に取り付けられる便器、および便器の製造方法に関する。
【００１１】
（１）便器
本実施形態の便器１は、図１に示すように、トイレルームの壁面などの縦面７０に取り付けられる壁掛け便器である。
【００１２】
以下の説明においては、便器１に着座したユーザーを基準に前後方向を決定する。すなわち、図１に示すように、縦面７０から便器１が突出した方向を前方とし、便器１から縦面７０に向かう方向を後方とする。また、前方および後方に平行な方向を前後方向とし、前後方向に直交しかつ水平面に沿う方向を左右方向とする。
【００１３】
便器１は、床面７１から離れて配置される。このため、ユーザーは、便器１の下方に位置する床面７１を容易に清掃できる。
【００１４】
便器１は、便器本体３と、縦面７０に固定可能な支持フレーム２とを具備している。
【００１５】
（１．１）支持フレーム
支持フレーム２は、便器本体３を支持する。支持フレーム２は、ユーザーが便器１に着座した場合にかかる荷重に耐えられるように、例えば鉄，ステンレス，アルミニウム等の金属や、カーボン、木材等から形成される。
【００１６】
支持フレーム２は、図２に示すように、固定体２１と、固定体２１から前方に突出した支持体２０とを備えている。
【００１７】
固定体２１は、図１に示す壁面などの縦面７０に固定される部分である。なお、縦面７０は厳密な鉛直面だけを意味するのではなく、上下方向および左右方向に沿った面であれば、「縦面」の範疇に含まれる。つまり、縦面７０には、やや前傾した面も含まれるし、やや後傾した面も含まれる。また、縦面７０は平面でなくてもよく、凹凸のある面であってもよい。
【００１８】
図２に示すように、固定体２１は、一対の縦体２２と、一対の縦体２２を連結する横体２３とを有している。一対の縦体２２は、上下方向に延びた中空パイプにより構成されており、左右方向に離れている。
【００１９】
横体２３は、一対の縦体２２の上端部間に配置され、一対の縦体２２に固定されている。横体２３は、左右方向と直交する断面形状が略Ｃ字状である。
【００２０】
横体２３には、複数の固着具挿通孔２３１が設けられている。複数の固着具挿通孔２３１は、左右方向に並んでいる。
【００２１】
横体２３は、図３に示すように、縦面７０に沿って配置された状態で、複数の固着具７３を用いて縦面７０に取り付けられる。
【００２２】
複数の固着具７３の各々は、ビスまたはボルトで構成されるねじ具である。すなわち、横体２３は、複数の固着具挿通孔２３１の各々に通された固着具７３を縦面７０にねじ込むことで、縦面７０に取り付けられる。なお、固着具７３は、リベット、釘などであってもよい。
【００２３】
図２に示すように、支持体２０は、固定体２１の上部から前方に向かって突出している。支持体２０は、便器本体３を支持する部分である。支持体２０は、前後方向に延びた一対の支持部２４と、一対の支持部２４の前端部同士を連結する前側連結部２５とを有している。
【００２４】
一対の支持部２４の各々は、平面視直線状である。一対の支持部２４は、一対の縦体２２から前方に向かって突出しており、左右方向に離れている。前側連結部２５は、上方から見て（以下、平面視）半円弧状に形成されている。
【００２５】
一対の支持部２４および前側連結部２５は、平面視Ｕ字状の角パイプにより構成されており、連続している。一対の支持部２４の平坦な上面と、前側連結部２５の平坦な上面とは面一である。
【００２６】
図２に示すように、本実施形態の支持フレーム２は、左右一対の補強部８をさらに有している。一対の補強部８は、一対の支持部２４を、それぞれ一対一で支持する。一対の補強部８の各々は、例えば筋交いである。各補強部８は、一端部が対応する支持部２４の前端部に連結され、他端部が対応する縦体２２の下端部に連結されており、対応する支持部２４と対応する縦体２２との間に架け渡されている。
【００２７】
各補強部８は、対応する支持部２４を下方から支持する。各補強部８は、対応する縦体２２と対応する支持部２４との相対的な位置関係を維持し、支持フレーム２を補強する。
【００２８】
本実施形態の支持フレーム２は、便器本体３が固定される固定部２００をさらに備えている。固定部２００は、左右一対の固定片２０１を有している。一対の固定片２０１は、一対の補強部８にそれぞれ一対一の関係で設けられている。
【００２９】
一対の固定片２０１の各々は、補強部８から下方に向かって突出している。各固定片２０１は、水平断面形状がＬ字状であり、厚み方向が前後方向と平行な板状の縦片部２０２を含んでいる。
【００３０】
（１．２）便器本体
図４に示す便器本体３は、便器１の主体を構成する。便器本体３は、ボウル部３１と、リム部３３と、スカート部３６とを備えている。ボウル部３１、リム部３３、およびスカート部３６の各々は、合成樹脂製である。
【００３１】
ボウル部３１は、汚物を受ける部分であり、便器本体３の上方に向かって開口した椀状に形成されている。
【００３２】
ボウル部３１は、上開口部３１１と、下開口部３１２とを含んでいる。上開口部３１１は、ボウル部３１の上端部に形成されている。ボウル部３１は上開口部３１１から上方に向かって開口している。
【００３３】
下開口部３１２は、ボウル部３１の下端部に形成されており、ボウル部３１は下開口部３１２から後方に向かって開口している。
【００３４】
ボウル部３１の上端部には、支持体２０を収納する支持体収納部３０が設けられている。支持体収納部３０は、リム部３３の一部と、スカート部３６の一部とで構成されている。
【００３５】
リム部３３は、ボウル部３１の上端部に設けられている。リム部３３は、図５に示すように、内周部３３０と、横面部３３６とを有している。内周部３３０と横面部３３６とは、一体に形成されている。
【００３６】
内周部３３０は、ボウル部３１の周方向の全長に亘っており、平面視環状に形成されている。内周部３３０は、ボウル部３１の上端部から上方に向かって延びている。内周部３３０は、上下方向の中間部が内側に向かって突出するように屈曲している。
【００３７】
内周部３３０は、下内周部３３２と、上内周部３３３とを含んでいる。下内周部３３２は、ボウル部３１の上開口部３１１の周縁から、内側上方に向かって延びている。下内周部３３２は、周方向と直交する断面において上方に凹となるように、湾曲している。下内周部３３２の下端部は、ボウル部３１の上開口部３１１の周縁部に溶着により接合されている。これにより、リム部３３とボウル部３１とは、接合されている。
【００３８】
上内周部３３３は、下内周部３３２の内側の端部から外側上方に向かって延びており、上方に向かうほど外側に位置するように傾斜している。
【００３９】
横面部３３６は、内周部３３０の上端部から水平面に沿って外側方に向かって延びている。横面部３３６は、内周部３３０の周方向の全長に亘って形成されている。
【００４０】
スカート部３６は、図６に示すように平面視Ｕ字状に形成されている。図７に示すようにスカート部３６の上端は、リム部３３の横面部３３６の外周端部に接合されている。この接合は、溶着により行われる。これにより、スカート部３６とリム部３３とは、接合される。スカート部３６は、ボウル部３１を外側から覆っている。
【００４１】
スカート部３６の上端部は、内周部３３０に対向する外周部３６０を構成している。外周部３６０は、横面部３３６の外側端部から下方に向かって延びている。支持体収納部３０は、内周部３３０と、横面部３３６と、外周部３６０とで構成されている。
【００４２】
支持体収納部３０には、内周部３３０と、横面部３３６と、外周部３６０とで囲まれた収納空間３０５が形成されている。内周部３３０の下端部（下内周部３３２の下端部）と、この外側に位置するスカート部３６との間には、挿入用開口３０６が形成されている。収納空間３０５は、挿入用開口３０６を介して下方に開口している。
【００４３】
支持体収納部３０の収納空間３０５には、支持フレーム２の支持体２０が配置されている。支持体２０は、内周部３３０と、横面部３３６と、外周部３６０とにより覆われている。
【００４４】
図５および図７に示すように、支持体２０の一対の支持部２４および前側連結部２５の各々の幅ｗ１は、挿入用開口３０６における対応する部分の幅ｗ２よりも小さい。このため、支持体２０は、支持体収納部３０の収納空間３０５に下方から挿入用開口３０６を通じて挿入できる。
【００４５】
支持体２０は、内周部３３０に沿って配置されている。横面部３３６においてボウル部３１の後方に位置する部分を除く部分（すなわち、前側の部分と左右両側の部分）は、支持体２０の上面に接している。これにより、横面部３３６は、支持体２０によって下方から支持されている。すなわち、横面部３３６は、便器本体３において支持体２０で支持される部分（被支持部）である。
【００４６】
本実施形態のスカート部３６は、図６に示すように被固定部３７をさらに有している。被固定部３７は、支持フレーム２の固定部２００に固定される部分である。被固定部３７は、左右一対の被固定片３７０を含んでいる。一対の被固定片３７０は、スカート部３６の左右両側壁部の後部にそれぞれ一対一の関係で設けられている。
【００４７】
各被固定片３７０は、鉛直な板状に形成されており、スカート部３６の側壁部から内側に向かって突出している。
【００４８】
一対の被固定片３７０は、一対の固定片２０１の縦片部２０２に沿って配置されている。本実施形態の各被固定片３７０は、図４に示すように、対応する縦片部２０２の後面にパッキンなどの緩衝材７６を介して重ねて配置されている。
【００４９】
一対の被固定片３７０は、一対の縦片部２０２にそれぞれ固着具７４によって固定されている。固着具７４は、ボルト７４０とナット７４１とで構成される。
【００５０】
ボルト７４０は、被固定片３７０、緩衝材７６、および縦片部２０２を通って、縦片部２０２から前方に突出している。このボルト７４０の突出した部分は、ナット７４１にねじ込まれている。これにより、被固定片３７０は縦片部２０２に固定されている。
【００５１】
本実施形態の便器本体３は、トラップ部３５と便器後部３４とをさらに具備している。トラップ部３５は、上流側の端部がボウル部３１の下開口部３１２に接続され、下流側の端部が排水管７２に接続される。排水管７２は、例えば縦面７０に設けられる。
【００５２】
ボウル部３１の内側空間は、トラップ部３５および排水管７２を介して下水管に通じている。トラップ部３５は封水を形成することで、臭気が排水管７２からボウル部３１側へ逆流したり、衛生害虫やねずみがボウル部３１側へ侵入したりすることを防ぐ。
【００５３】
便器後部３４は、ボウル部３１の後方上部に設けられている。便器後部３４は、局部洗浄装置などの機器を内部に収容する部分である。
【００５４】
（１．３）その他の構成
便器１は、便座６１と便蓋６２とをさらに具備している。便座６１と便蓋６２は、便器後部３４に回動可能に取り付けられている。便座６１と便蓋６２は、リム部３３の横面部３３６に載せることができる。すなわち、横面部３３６は、便座６１および便蓋６２を支持する部分である。
【００５５】
便器１は、局部洗浄装置をさらに具備している。局部洗浄装置は、便器後部３４に収納されており、おしり洗浄機能やビデ機能を有している。
【００５６】
便器１は、上述したように、支持フレーム２の固定体２１を縦面７０にねじ止めすることで、縦面７０から前方に突出した状態で縦面７０に取り付けられる。
【００５７】
（２）便器の製造方法および施工方法
支持フレーム２の支持体２０は、前述のボウル部３１とリム部３３との溶着、および、リム部３３とスカート部３６との溶着が行われた後に、挿入用開口３０６から支持体収納部３０に挿入される。図５には、支持体収納部３０に挿入している支持体２０を二点鎖線で示している。
【００５８】
このように支持体２０が支持体収納部３０に挿入された後、図６に示すように、便器本体３の被固定部３７が、固着具７４を用いて、支持フレーム２の固定部２００に固定される。そして、このように便器本体３が固定された支持フレーム２の固定体２１は、図３に示すように、複数の固着具７３を用いて縦面７０に固定され、これにより、便器１が縦面７０から前方に突出した状態で設置される。
【００５９】
（３）変形例
以下、上記実施形態の変形例について説明する。
【００６０】
（変形例１）
以下に示す変形例１の説明では、構成に付記される符号の末尾に「ａ」を追加する。また、上記実施形態に対応する構成については、上記実施形態の構成と同じ符号の末尾に「ａ」を追加した符号を付記して、重複する説明は省略する。
【００６１】
上記実施形態の便器本体３は、ボウル部３１とリム部３３とが別体であったが、本変形例１の便器１ａは、図８Ａに示すように便器本体３ａのボウル部３１ａとリム部３３ａとが一体に形成されている。すなわち、支持体収納部３０ａは、ボウル部３１ａと一体に形成された内周部３３０ａと、内周部３３０ａと一体に形成された横面部３３６ａと、スカート部３６ａの外周部３６０ａとで構成されている。
【００６２】
（変形例２）
以下に示す変形例２の説明では、構成に付記される符号の末尾に「ｂ」を追加する。また、上記実施形態に対応する構成については、上記実施形態の構成と同じ符号の末尾に「ｂ」を追加した符号を付記して、重複する説明は省略する。
【００６３】
上記実施形態の内周部３３０は、リム部３３の横面部３３６と一体に形成されていたが、本変形例の便器１ｂの内周部３３０ｂは、図８Ｂに示すように、上記実施形態におけるボウル部３１に相当する部分と一体に形成されている。すなわち、内周部３３０ｂは、ボウル部３１ｂの一部であり、内周部３３０ｂと横面部３３６ｂとは別体である。本変形例にあっては、内周部３３０ｂの上端部と、横面部３３６ｂの内周端部とが溶着により接合される。
【００６４】
（変形例３）
以下に示す変形例３の説明では、構成に付記される符号の末尾に「ｃ」を追加する。また、上記実施形態に対応する構成については、上記実施形態の構成と同じ符号の末尾に「ｃ」を追加した符号を付記して、重複する説明は省略する。
【００６５】
上記実施形態の支持体２０は、一対の支持部２４が、前側連結部２５により連結されていたが、本変形例の支持フレーム２ｃの支持体２０ｃは、図９に示すように前側連結部２５を有しておらず、支持体２０Ｃは一対の支持部２４Ｃにより構成されている。一対の支持部２４Ｃの各々は、平面視直線状である。
【００６６】
（４）応用例
上記実施形態のボウル部３１とリム部３３とは、溶着ではなく、接着剤を用いた接着により接合されてもよい。上記実施形態のリム部３３とスカート部３６とは、接着剤を用いた接着により接合されてもよい。
【００６７】
上記実施形態の便器本体３は合成樹脂製であるが、金属製や、陶器製であってもよく、便器本体３の材質は限定されない。
【００６８】
上記実施形態の支持フレーム２の固定部２００は、便器本体３の被固定部３７に固着具７４で固定されているが、固着具７４は省略してもよい。すなわち、この場合、被固定部３７が固定部２００の後面に沿って配置され、これにより、便器本体３は支持フレーム２に対して前方に移動することが規制される。
【００６９】
上記実施形態の支持体２０は、中空の角パイプにより構成されているが、例えば、中実の角材であってもよく、また、断面Ｃ字状，断面Ｉ字状，断面Ｔ字状，断面Ｄ字状，断面Ｏ字状，断面Ｌ字状に形成されてもよい。
【００７０】
上記実施形態の縦面７０は、トイレルームの壁面により構成されていたが、例えば、キャビネットなどの箱体の前面により構成されてもよく、縦面７０は壁面に限定されない。
【００７１】
上記実施形態の便器１は、ユーザーが便座６１に着座可能な、いわゆる洋式の便器であったが、例えば、男性の小便用の便器に適用してもよい。この場合においても、縦面に支持フレームを固定し、便器本体を支持フレームに支持させるようにして構成される。男性の小便用の便器に適用することで、例えば、ユーザーが便器に手を掛けた際の外力に対して強くすることができる。
【００７２】
上記実施形態と変形例１〜３とで説明した構成は、適宜組み合わせて適用可能である。
【００７３】
（５）効果
以下、上述した実施形態および変形例１〜３に係る便器１の構成および効果について説明する。
【００７４】
第１の形態の便器１は、以下の構成を有する。便器１は、ボウル部３１が形成された便器本体３と、縦面７０に固定可能な支持フレーム２とを具備する。便器本体３は、ボウル部３１の上端部に設けられた支持体収納部３０を備える。支持フレーム２は、支持体収納部３０に収納され、支持体収納部３０を支持する支持体２０を備える。支持体収納部３０に、下方に開口し支持体２０を支持体収納部３０の下方から支持体収納部３０に挿入するための挿入用開口３０６が形成される。
【００７５】
第１の形態の便器１によれば、支持フレーム２の支持体２０が支持体収納部３０に収納されるため、支持体２０が外観上見え難く、見栄えがよい。また、支持体２０は、挿入用開口３０６を介して、支持体収納部３０に下方から簡単に挿入することができ、便器１を簡単に製造できる。
【００７６】
第２の形態の便器１は、第１の形態の便器において、以下の付加的な構成を有する。支持体収納部３０は、ボウル部３１の上端部から上方に向かって延びた内周部３３０と、内周部３３０の上端部から外側方に向かって延びた横面部３３６と、横面部３３６の外側端部から下方に向かって延びて内周部３３０に対向する外周部３６０とを有する。支持体２０は横面部３３６を下方から支持する。
【００７７】
第２の形態の便器１によれば、内周部３３０、横面部３３６、および外周部３６０によって支持体２０を覆うことができる。
【００７８】
第３の形態の便器１の製造方法は、以下の構成を有する。便器１は、ボウル部３１が形成された便器本体３と、縦面７０に固定可能な支持フレーム２とを具備する。便器本体３は、ボウル部３１の上端部に設けられた支持体収納部３０を備える。支持フレーム２は、支持体収納部３０に収納され、支持体収納部３０を支持する支持体２０を備える。支持体収納部３０に、下方に開口した挿入用開口３０６が形成される。支持体２０を挿入用開口３０６から支持体収納部３０に挿入する。
【００７９】
第３の形態の便器１の製造方法によれば、支持体２０が支持体収納部３０に収納されて、支持体２０が外観上見え難く、見栄えの良い便器１を製造できる。また、支持体２０を挿入用開口３０６を介して支持体収納部３０に下方から挿入するだけで、支持体収納部３０に支持体２０を簡単に配置でき、便器１を簡単に製造できる。
【符号の説明】
【００８０】
１  便器
２  支持フレーム
２０  支持体
３  便器本体
３０  支持体収納部
３０６  挿入用開口
３１  ボウル部
３３０  内周部
３３６  横面部
３６０  外周部
７０  縦面
【図１】
0006611047.tif 000002
【図２】
0006611047.tif 000003
【図３】
0006611047.tif 000004
【図４】
0006611047.tif 000005
【図５】
0006611047.tif 000006
【図６】
0006611047.tif 000007
【図７】
0006611047.tif 000008
【図８】
0006611047.tif 000009
【図９】
0006611047.tif 000010